(57)【要約】【課題】情報記録媒体の利用履歴情報等の参照が容易となるとともに、情報記録媒体の紛失や盗難時におけるリスクが軽減され、情報記録媒体の利便性が向上する情報記録媒体利用履歴参照システムおよび情報記録媒体利用履歴参照方法を提供する。【解決手段】利用者が無線ＩＣカード利用機器１２で無線ＩＣカード１１を利用した利用履歴情報を駅務機器上位サーバ１３で管理しておき、必要に応じて利用者が所持する携帯端末装置１５から固有の識別情報としてユーザ名およびパスワードを用いてアクセスすることで、駅務機器上位サーバ１３で管理されている利用履歴情報を参照する。【選択図】      図５
2008033802.tif 000002
【特許請求の範囲】
【請求項１】
利用者が提示する情報記録媒体からそれに記録されている情報を読取り所定の処理を行なう情報記録媒体利用機器と、この情報記録媒体利用機器を管理する管理装置と、この管理装置と通信可能で利用者が所持する端末装置とを有して構成され、
前記端末装置は、
固有の識別情報を前記管理装置に対し送信する第１の送信手段を具備し、
前記管理装置は、
前記情報記録媒体利用機器において処理した情報記録媒体の処理内容を利用履歴情報として固有の識別情報に対応させて管理する管理手段と、
前記端末装置の第１の送信手段により送信された固有の識別情報を受信し、前記管理手段により管理されている当該受信した固有の識別情報に対応する識別情報を持つ利用履歴情報を前記端末装置に対し送信する第２の送信手段とを具備し、
前記端末装置は、さらに、
前記管理装置の第２の送信手段により送信された利用履歴情報を受信し、この受信した利用履歴情報を出力する出力手段を具備したことを特徴とする情報記録媒体利用履歴参照システム。
【請求項２】
前記管理装置は、さらに、
情報記録媒体の紛失や盗難時に当該情報記録媒体に対する遺失物情報を前記管理手段により管理されている当該情報記録媒体の利用履歴情報に対応させて登録するとともに、当該遺失物情報の登録後における当該情報記録媒体の利用情報を無断使用情報として前記遺失物情報とともに登録する登録手段を具備したことを特徴とする請求項１記載の情報記録媒体利用履歴参照システム。
【請求項３】
前記固有の識別情報は、利用者の名前、利用者固有のパスワード、情報記録媒体固有の固有情報のうち少なくともいずれか１つを用いることを特徴とする請求項１記載の情報記録媒体利用履歴参照システム。
【請求項４】
前記情報記録媒体は、乗車券情報や金額情報等が記録される非接触式情報記録媒体であり、前記情報記録媒体利用機器は、前記非接触式情報記録媒体からそれに記録されている情報を非接触通信により読取り駅務処理を行なう駅務機器であることを特徴とする請求項１記載の情報記録媒体利用履歴参照システム。
【請求項５】
前記駅務機器は、自動改札機、定期券発行機、券売機、清算機などであることを特徴とする請求項４記載の情報記録媒体利用履歴参照システム。
【請求項６】
前記情報記録媒体は、無線式ＩＣカードであることを特徴とする請求項１または請求項４記載の情報記録媒体利用履歴参照システム。
【請求項７】
利用者が提示する情報記録媒体からそれに記録されている情報を読取り所定の処理を行なう情報記録媒体利用機器と、この情報記録媒体利用機器を管理する管理装置と、この管理装置と通信可能で利用者が所持する端末装置とを有し、
前記端末装置において、固有の識別情報を前記管理装置に対し送信する第１の送信工程と、
前記管理装置において、前記情報記録媒体利用機器において処理した情報記録媒体の処理内容を利用履歴情報として固有の識別情報に対応させて管理する管理工程と、
前記第１の送信工程により送信された固有の識別情報を受信し、前記管理工程により管理されている当該受信した固有の識別情報に対応する識別情報を持つ利用履歴情報を前記端末装置に対し送信する第２の送信工程と、
前記端末装置において、前記第２の送信工程により送信された利用履歴情報を受信し、この受信した利用履歴情報を出力する出力工程と、
を具備したことを特徴とする情報記録媒体利用履歴参照方法。
【請求項８】
前記管理装置において、情報記録媒体の紛失や盗難時に当該情報記録媒体に対する遺失物情報を前記管理工程により管理されている当該情報記録媒体の利用履歴情報に対応させて登録するとともに、当該遺失物情報の登録後における当該情報記録媒体の利用情報を無断使用情報として前記遺失物情報とともに登録する登録工程をさらに具備したことを特徴とする請求項７記載の情報記録媒体利用履歴参照方法。
【発明の詳細な説明】
【技術分野】
【０００１】
本発明は、たとえば、鉄道などの交通機関において乗車券媒体等として用いられる非接触式情報記録媒体（いわゆる無線ＩＣカード）の利用履歴情報を利用者が所持する携帯電話機などの端末装置からのアクセスで参照する情報記録媒体利用履歴参照システムおよび情報記録媒体利用履歴参照方法に関する。
【背景技術】
【０００２】
たとえば、鉄道などの交通機関における自動改札機、定期券発行機、券売機、清算機などの駅務機器や各種自動販売機で使用されるＳＦカード（ストアードフェアカード）としての非接触式情報記録媒体（いわゆる無線ＩＣカード）において、金額情報である残額を含む利用履歴情報を調べるためには、当該非接触式情報記録媒体を取り扱っている駅で調べる方法や、市販されている非接触式情報記録媒体のリーダ（無線ＩＣカードリーダ）で調べるなどの方法がある。
【０００３】
なお、この種の関連する公知の技術として、たとえば、特許文献１に開示されたものが知られている。この公知技術は、無線ＩＣカードの情報を外部端末装置からサーバを経由することで変更可能とし、その変更内容を次回のカード使用の際に反映させるというものである。
【特許文献１】特開２００１−２３６３８５
【発明の開示】
【発明が解決しようとする課題】
【０００４】
しかしながら、非接触式情報記録媒体を取り扱っている駅で調べる方法や、市販されている非接触式情報記録媒体のリーダ（無線ＩＣカードリーダ）で調べる方法は、一般の利用者にとって手軽であるとは言い難い。
【０００５】
また、現在、駅などに設置されている券売機で表示される利用履歴情報は、自動改札機においてチャージ金額を利用した場合のみの利用履歴であるため、利用履歴情報の参照以上の運用は望めない。
【０００６】
さらに、非接触式情報記録媒体を紛失したり盗難にあったりした場合においても、駅員対応において状況を調べてもらわなければならないため、その処理に時間がかかるだけでなく、業務外の時間においては対応すらできないという不都合も生じる。
【０００７】
そこで、本発明は、情報記録媒体の利用履歴情報等の参照が容易となるとともに、情報記録媒体の紛失や盗難時におけるリスクが軽減され、情報記録媒体の利便性が向上する情報記録媒体利用履歴参照システムおよび情報記録媒体利用履歴参照方法を提供することを目的とする。
【課題を解決するための手段】
【０００８】
本発明の情報記録媒体利用履歴参照システムは、利用者が提示する情報記録媒体からそれに記録されている情報を読取り所定の処理を行なう情報記録媒体利用機器と、この情報記録媒体利用機器を管理する管理装置と、この管理装置と通信可能で利用者が所持する端末装置とを有して構成され、前記端末装置は、固有の識別情報を前記管理装置に対し送信する第１の送信手段を具備し、前記管理装置は、前記情報記録媒体利用機器において処理した情報記録媒体の処理内容を利用履歴情報として固有の識別情報に対応させて管理する管理手段と、前記端末装置の第１の送信手段により送信された固有の識別情報を受信し、前記管理手段により管理されている当該受信した固有の識別情報に対応する識別情報を持つ利用履歴情報を前記端末装置に対し送信する第２の送信手段とを具備し、前記端末装置は、さらに、前記管理装置の第２の送信手段により送信された利用履歴情報を受信し、この受信した利用履歴情報を出力する出力手段を具備している。
【０００９】
また、本発明の情報記録媒体利用履歴参照方法は、利用者が提示する情報記録媒体からそれに記録されている情報を読取り所定の処理を行なう情報記録媒体利用機器と、この情報記録媒体利用機器を管理する管理装置と、この管理装置と通信可能で利用者が所持する端末装置とを有し、前記端末装置において、固有の識別情報を前記管理装置に対し送信する第１の送信工程と、前記管理装置において、前記情報記録媒体利用機器において処理した情報記録媒体の処理内容を利用履歴情報として固有の識別情報に対応させて管理する管理工程と、前記第１の送信工程により送信された固有の識別情報を受信し、前記管理工程により管理されている当該受信した固有の識別情報に対応する識別情報を持つ利用履歴情報を前記端末装置に対し送信する第２の送信工程と、前記端末装置において、前記第２の送信工程により送信された利用履歴情報を受信し、この受信した利用履歴情報を出力する出力工程とを具備している。
【発明の効果】
【００１０】
本発明によれば、情報記録媒体の利用履歴情報等の参照が容易となるとともに、情報記録媒体の紛失や盗難時におけるリスクが軽減され、情報記録媒体の利便性が向上する情報記録媒体利用履歴参照システムおよび情報記録媒体利用履歴参照方法を提供できる。
【発明を実施するための最良の形態】
【００１１】
以下、本発明の実施の形態について図面を参照して説明する。  
図１は、本実施の形態に係る情報記録媒体利用履歴参照システムの構成を概略的に示すものである。この情報記録媒体利用履歴参照システムは、たとえば、鉄道などの交通機関において使用されるもので、利用者が提示する情報記録媒体としての非接触式情報記録媒体、たとえば、ＳＦカード（ストアードフェアカード）として用いられる無線ＩＣカード（非接触式ＩＣカード）１１からそれに記録されている情報を読取り所定の処理を行なう情報記録媒体利用機器としての駅務機器や各種自動販売機などの無線ＩＣカード利用機器１２、この無線ＩＣカード利用機器１２を管理する管理装置としての駅務機器上位サーバ１３、この駅務機器上位サーバ１３と通信回線１４を介して通信可能で利用者が所持する端末装置としての携帯端末装置１５、および、駅務機器上位サーバ１３に接続され遺失物管理情報等を入力する遺失物管理端末装置１６を有して構成されている。
【００１２】
無線ＩＣカード１１は、たとえば、ＳＦカード（あるいは、定期券等）として利用されるもので、無線通信によって外部装置との間で送受信する機能を備えており、内蔵するメモリに有効期限情報、金額情報（残額情報）、利用履歴情報などが記録される。
【００１３】
無線ＩＣカード利用機器１２は、たとえば、無線ＩＣカード１１の記録情報を無線通信により読取って通行の可否を判定する自動改札機、利用者の操作により所定の発行条件を入力して定期券（無線ＩＣカード）を発行する定期券発行機、利用者の操作により乗車券を発券する券売機、利用者の操作により乗り越しや乗り継ぎなどの料金を精算する清算機などの駅務機器、および、駅構内に設置され利用者の操作により清涼飲料水等を販売する各種自動販売機などが考えられる。  
無線ＩＣカード利用機器１２は、無線ＩＣカード１１が利用されると、その利用履歴情報（たとえば、カード番号を含むカード情報、利用日時、利用駅名、残額等）をリアルタイムで駅務機器上位サーバ１３へ送信するようになっている。
【００１４】
駅務機器上位サーバ１３は、利用者の個人ごとの利用履歴情報等が記憶される個人データベース１３ａを有しているとともに、利用者が所持する携帯端末装置１５との通信を行なう機能、および携帯端末装置１５によるサービスを提供する契約会社のシステム（外部システム）に接続する機能などを有している。  
駅務機器上位サーバ１３は、無線ＩＣカード利用機器１２から送信される利用履歴情報を受信し、受信した利用履歴情報を当該無線ＩＣカード固有のカード番号（識別情報）などと対応させて個人データベース１３ａに登録（記憶）するようになっている。
【００１５】
携帯端末装置１５は、たとえば、携帯電話機、ＰＨＳ、ノート型パーソナルコンピュータ（ノート型ＰＣ）、パーソナルデジタルアシスタント（ＰＤＡ）などが用いられる。このような携帯端末装置１５は、少なくとも出力手段としての表示部１５ａ、入力手段としての操作部１５ｂ、および、通信（送受信）手段としての通信部１５ｃを有している。表示部１５ａには、操作内容や後述する利用履歴情報などが表示（出力）される。操作部１５ｂは、各種操作キーを有していて、メニュー画面から所定の項目を指定したり、駅務機器上位サーバ１３に対しアクセスするためのアクセス情報を入力したりするものである。
【００１６】
遺失物管理端末装置１６は、たとえば、駅構内の遺失物管理室内に設置され、無線ＩＣカード１１を紛失したり盗難にあったりした際に、その届を受けた駅員が当該無線ＩＣカード１１に対する遺失物情報を入力するもので、入力された遺失物情報は駅務機器上位サーバ１３に送信される。
【００１７】
次に、このような構成において動作を説明する。  
まず、無線ＩＣカード１１が利用された場合の利用履歴情報の登録処理について図２に示すフローチャートを参照して説明する。  
無線ＩＣカード利用機器１２は、利用者が無線ＩＣカード１１を利用すると、そのときの利用履歴情報をリアルタイムで駅務機器上位サーバ１３へ送信する。駅務機器上位サーバ１３は、無線ＩＣカード利用機器１２から送信される利用履歴情報を受信すると、受信した利用履歴情報内のカード番号に基づき個人データベース１３ａを検索することで、個人データベース１３ａ内に当該受信したカード番号を持つ利用者の利用履歴情報エリアが存在するか否か（すなわち、個人データベース１３ａ内に当該利用者の利用履歴情報が既に存在するか否か）をチェックする（ステップＳ１，Ｓ２）。
【００１８】
ステップＳ１，Ｓ２におけるチェックの結果、当該利用者の利用履歴情報エリアが存在しない場合、受信した利用履歴情報内のカード情報に基づき、個人データベース１３ａ内に当該利用者の利用履歴情報エリアを新規に作成し（ステップＳ３）、この作成した利用履歴情報エリアにアクセスキーおよびカード固有情報を登録する（ステップＳ４）。
【００１９】
このように、利用された無線ＩＣカード１１の利用履歴情報が個人データベース１３ａに登録されていない場合、バックグランドの処理として利用履歴情報エリアを作成し、当該利用履歴情報エリアを一意に決定するアクセスキーとカード固有情報をカード情報から自動的に作成するものである。
【００２０】
なお、アクセスキーとは、当該無線ＩＣカード１１の一方の面に記録されている固有の識別情報、すなわち、カード番号のことである。また、カード固有情報とは、後述するユーザ名（利用者の名前）、パスワードを紛失し、かつ、無線ＩＣカードが手元にないためアクセスキーが不明であるとき、カード情報から利用履歴情報エリアを特定できるようにするための情報で、たとえば、カード情報内の個人情報などが用いられる。
【００２１】
次に、受信した利用履歴情報を最新の利用履歴情報として、個人データベース１３ａ内に作成した利用履歴情報エリアに登録（記憶）し（ステップＳ５）、登録処理を終了する。このとき、利用履歴情報エリアに登録された情報は、たとえば、図３に示すように、アクセスキーおよびカード固有情報と利用履歴情報とから構成される。なお、ユーザ名およびパスワードは、この時点ではまだ登録されない。
【００２２】
ステップＳ１，Ｓ２におけるチェックの結果、当該利用者の利用履歴情報エリアが既に存在する場合、当該利用履歴情報エリア内の最新情報は遺失物情報であるか否かをチェックし（ステップＳ６）、遺失物情報でない場合、受信した最新の利用履歴情報を利用履歴情報エリアに登録（記憶）し（ステップＳ５）、登録処理を終了する。
【００２３】
ステップＳ６におけるチェックの結果、遺失物情報である場合、この場合は登録されている無線ＩＣカードの利用履歴が遺失物として登録されていることになるので、利用履歴情報の更新は行なわずに、受信した利用履歴情報を遺失物登録後の拾得者無断使用情報として当該利用履歴情報エリアに登録（記憶）し（ステップＳ７）、登録処理を終了する。
【００２４】
次に、遺失物として無線ＩＣカード１１が駅に届けられた場合の登録処理について図４に示すフローチャートを参照して説明する。  
遺失物管理端末装置１６は、たとえば、利用者から無線ＩＣカード１１を紛失したとの届を受けた場合、駅員は、遺失物管理端末装置１６において、当該無線ＩＣカード１１に対する遺失物情報（たとえば、紛失日時、カード番号を含むカード情報等）を入力することにより、入力された遺失物情報は駅務機器上位サーバ１３に送信される（ステップＳ１１）。
【００２５】
駅務機器上位サーバ１３は、遺失物管理端末装置１６から送信される遺失物情報を受信すると、受信した遺失物情報内のカード番号に基づき個人データベース１３ａを検索することで、個人データベース１３ａ内に当該受信したカード番号を持つ利用者の利用履歴情報エリアが存在するか否か（すなわち、個人データベース１３ａ内に当該利用者の利用履歴情報が既に存在するか否か）をチェックする（ステップＳ１２，Ｓ１３）。
【００２６】
ステップＳ１２，Ｓ１３におけるチェックの結果、当該利用者の利用履歴情報エリアが存在しない場合、受信した遺失物情報内のカード情報に基づき、個人データベース１３ａ内に当該利用者の利用履歴情報エリアを新規に作成し（ステップＳ１４）、この作成した利用履歴情報エリアにアクセスキーおよびカード固有情報を登録する（ステップＳ１５）。このとき、利用履歴情報エリアに登録された情報は、たとえば、図３に示すように、アクセスキーおよびカード固有情報から構成される。なお、ユーザ名、パスワードおよび利用履歴情報は、この時点ではまだ登録されない。
【００２７】
このように、当該無線ＩＣカード１１の利用履歴情報が個人データベース１３ａに登録されていない場合、バックグランドの処理として利用履歴情報エリアを作成し、当該利用履歴情報エリアを一意に決定するアクセスキーとカード固有情報をカード情報から自動的に作成するものである。  
次に、受信した遺失物情報を個人データベース１３ａ内に作成した利用履歴情報エリアに登録（記憶）し（ステップＳ１６）、登録処理を終了する。
【００２８】
ステップＳ１２，Ｓ１３におけるチェックの結果、当該利用者の利用履歴情報エリアが既に存在する場合、当該利用履歴情報エリア内の最新情報は遺失物情報（あるいは、無断使用情報）であるか否かをチェックし（ステップＳ１７）、遺失物情報でない場合、受信した遺失物情報を当該利用履歴情報エリアに登録（記憶）し（ステップＳ１６）、登録処理を終了する。
【００２９】
ステップＳ１７におけるチェックの結果、遺失物情報（あるいは、無断使用情報）である場合、この場合は既に遺失物登録あるいは無断使用登録されていることになるので、遺失物情報の再登録は行なわずに、当該登録された遺失物情報（あるいは、無断使用情報）を取り消すが否かの判断を駅員に求め（ステップＳ１８）、取り消しを行なわないという指示を得た場合は、ここで登録処理を終了し、取り消しを行なうという指示を得た場合は、当該遺失物情報の取消処理を行ない（ステップＳ１９）、登録処理を終了する。
【００３０】
次に、利用者が自分の利用履歴情報を参照する場合の処理について図５に示すフローチャートを参照して説明する。  
利用者は、自身の所持する無線ＩＣカード１１の利用履歴情報を参照する場合、自身の所持する携帯端末装置１５を用いて、あらかじめ定められた所定の操作を行ない、駅務機器上位サーバ１３にアクセスすることで、携帯端末装置１５の表示部１５ａには利用履歴情報を参照するためのメニュー画面が表示される（ステップＳ２１）。
【００３１】
上記メニュー画面には、利用者に対し固有の識別情報であるユーザ名およびあらかじめ与えられたパスワードの入力を求める第１入力欄と、利用者に対しもう１つの固有の識別情報であるアクセスキーあるいはカード固有情報の入力を求める第２入力欄とがあり、利用者が第２入力欄において例えばアクセスキーを入力すると（ステップＳ２２）、この入力されたアクセスキーは駅務機器上位サーバ１３に送信される。
【００３２】
駅務機器上位サーバ１３は、携帯端末装置１５から送信されるアクセスキーを受信すると、受信したアクセスキーに基づき個人データベース１３ａを検索することで、個人データベース１３ａ内に当該受信したアクセスキーを持つ利用履歴情報エリアが存在するか否か（すなわち、個人データベース１３ａ内に当該利用者の利用履歴情報が既に存在するか否か）をチェックする（ステップＳ２３）。
【００３３】
ステップＳ２３におけるチェックの結果、当該利用者の利用履歴情報エリアが存在しない場合、ステップＳ２２に戻り、アクセスキーあるいはカード固有情報の入力し直しを求める。
【００３４】
ステップＳ２３におけるチェックの結果、当該利用者の利用履歴情報エリアが存在する場合、当該利用履歴情報エリアにユーザ名およびパスワードが登録されているか否かをチェックし（ステップＳ２４）、既にユーザ名およびパスワードが登録されている場合はステップＳ２５に進む。
【００３５】
ステップＳ２４におけるチェックの結果、まだユーザ名およびパスワードが登録されていない場合、携帯端末装置１５の表示部１５ａを用いてユーザ名およびパスワードの入力を求めることで、当該利用者の利用履歴情報エリアに対しユーザ名およびパスワードを登録する処理を行ない（ステップＳ２６）、その後、ステップＳ２５に進む。
【００３６】
一方、利用者が第１入力欄においてユーザ名およびパスワードを入力した場合（ステップＳ２７）、この入力されたユーザ名およびパスワードは駅務機器上位サーバ１３に送信される。
【００３７】
駅務機器上位サーバ１３は、携帯端末装置１５から送信されるユーザ名およびパスワードを受信すると、受信したユーザ名およびパスワードに基づき個人データベース１３ａを検索することで、個人データベース１３ａ内に当該受信したユーザ名およびパスワードを持つ利用履歴情報エリアが存在するか否か（すなわち、個人データベース１３ａ内に当該利用者の利用履歴情報が既に存在するか否か）をチェックする（ステップＳ２８）。
【００３８】
ステップＳ２８におけるチェックの結果、当該利用者の利用履歴情報エリアが存在する場合はステップＳ２５に進み、当該利用者の利用履歴情報エリアが存在しない場合は、当該携帯端末装置１５の表示部１５ａに利用履歴情報なしのメッセージを表示し（ステップＳ２９）、当該処理を終了する。
【００３９】
ステップＳ２５では、当該利用者の利用履歴情報エリアから最新の利用履歴情報を取得して、当該利用者の携帯端末装置１５へ送信し、表示部１５ａに表示する。このとき、表示部１５ａに表示した利用履歴情報は遺失物情報（あるいは、無断使用情報）であるか否かをチェックし（ステップＳ３０）、遺失物情報でない場合は、最新利用履歴情報の表示を継続し（ステップＳ３１）、当該処理を終了する。
【００４０】
ステップＳ３０におけるチェックの結果、遺失物情報（あるいは、無断使用情報）である場合、当該利用者の携帯端末装置１５の表示部１５ａを用いて、当該遺失物情報（あるいは、無断使用情報）を取り消すが否かの判断を利用者に求め（ステップＳ３２）、取り消しを行なわないという指示を得た場合は、最新利用履歴情報の表示を継続し（ステップＳ３１）、当該処理を終了する。取り消しを行なうという指示を得た場合は、当該遺失物情報の取消処理を行ない（ステップＳ３３）、その後、最新の利用履歴情報を表示し（ステップＳ３１）、当該処理を終了する。
【００４１】
以上説明したように上記実施の形態によれば、利用者が無線ＩＣカード利用機器１２で無線ＩＣカード１１を利用した利用履歴情報を駅務機器上位サーバ１３で管理しておき、必要に応じて利用者が所持する携帯端末装置１５から固有の識別情報としてユーザ名およびパスワードを用いてアクセスすることで、駅務機器上位サーバ１３で管理されている利用履歴情報を参照するものである。これにより、利用者が所持する携帯電話機やノート型ＰＣなどの携帯端末装置１５から無線ＩＣカード１１の利用履歴情報（たとえば、利用日時、利用駅名、カード残額等）の参照が容易にできる。したがって、無線ＩＣカードの利便性が向上する。
【００４２】
また、カード利用者以外の第三者でも、カード利用者のユーザ名およびパスワードを利用することで、カード利用者の利用履歴情報を知ることができる。このことにより、第三者は無線ＩＣカードの利用という単位でカード利用者の行動を把握することができる。具体的な使用例としては、たとえば、高齢者や小児が、通院や通学など一定のライフサイクルの中で鉄道を利用している場合に、平常の行動をしているかどうかを確認する一助とすることができる。したがって、無線ＩＣカードの利便性が向上する。
【００４３】
さらに、無線ＩＣカードの紛失や盗難時に、利用者が利用履歴情報を参照することで、自分の無線ＩＣカードの状態を把握し、無線ＩＣカードの使用可否を直接操作できる。したがって、無線ＩＣカードの紛失や盗難時におけるリスクが軽減される。
【００４４】
なお、前記実施の形態では、情報記録媒体が非接触式情報記録媒体（無線ＩＣカード）の場合について説明したが、本発明はこれに限定されるものでなく、情報記録媒体が接触式情報記録媒体（接触式ＩＣカード）であってもよく、また、情報記録媒体はＩＣカードに限らず、たとえば、携帯電話機、ＰＨＳ、ノート型ＰＣ、ＰＤＡなどの情報記録媒体であっても構わない。
【図面の簡単な説明】
【００４５】
【図１】本発明の実施の形態に係る情報記録媒体利用履歴参照システムの構成を概略的に示す構成図。
【図２】無線ＩＣカードが利用された場合の利用履歴情報の登録処理について説明するフローチャート。
【図３】駅務機器上位サーバの個人データベース内に作成された利用履歴情報エリアに登録された情報のフオーマット例を示す図。
【図４】遺失物として無線ＩＣカードが駅に届けられた場合の登録処理について説明するフローチャート。
【図５】利用者が自分の利用履歴情報を参照する場合の処理について説明するフローチャート。
【符号の説明】
【００４６】
１１…無線ＩＣカード（非接触式ＩＣカード、非接触式情報記録媒体、情報記録媒体）、１２…無線ＩＣカード利用機器（情報記録媒体利用機器）、１３…駅務機器上位サーバ（管理装置）、１３ａ…個人データベース、１５…携帯端末装置（端末装置）、１６…遺失物管理端末装置。
【図１】
2008033802.tif 000003
【図２】
2008033802.tif 000004
【図３】
2008033802.tif 000005
【図４】
2008033802.tif 000006
【図５】
2008033802.tif 000007